(57)【特許請求の範囲】
【請求項１】
基地局から送信される２次同期信号（ＳＳＳ）を検出するための方法であって、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算することと、
前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える
を備える、方法。
【請求項２】
各ＳＳＳ候補についての記録を作成することと、
各記録について、前記対応する複合エネルギーメトリック、第１のエネルギーメトリック、および第２のエネルギーメトリックを記憶することと
をさらに備える、請求項１に記載の方法。
【請求項３】
複合エネルギーメトリックに基づいて前記記録を分類することと、
共通ショートコードを他の記録と共有する記録を識別することと、
前記他の記録と共有されない他のショートコードについて前記エネルギーメトリックを検査することと
をさらに備える、請求項２に記載の方法。
【請求項４】
前記検査されたエネルギーメトリックがしきい値を下回る場合、前記識別された記録のためのＳＳＳ候補を削除すること
をさらに備える、請求項３に記載の方法。
【請求項５】
前記選択することが、削除されなかったＳＳＳ候補を選択することを備える、請求項４に記載の方法。
【請求項６】
基地局から送信される２次同期信号（ＳＳＳ）を検出するための装置であって、
１つまたは複数の基準パイロット間隔にわたって受信信号のサンプルを取得するように構成された受信機と、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、各ＳＳＳ候補について、前記第１のショートコードのための第１のエネルギーメトリックと前記第２のショートコードのための第２のエネルギーメトリックとを計算することと、前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える、を行うように構成された少なくとも１つのプロセッサと
を備える、装置。
【請求項７】
前記プロセッサが、
各ＳＳＳ候補についての記録を作成することと、
各記録について、前記対応する複合エネルギーメトリック、第１のエネルギーメトリック、および第２のエネルギーメトリックを記憶することと
を行うようにさらに構成された、請求項６に記載の装置。
【請求項８】
前記プロセッサが、
複合エネルギーメトリックに基づいて前記記録を分類することと、
共通ショートコードを他の記録と共有する記録を識別することと、
前記他の記録と共有されない他のショートコードについて前記エネルギーメトリックを検査することと
を行うようにさらに構成された、請求項７に記載の装置。
【請求項９】
前記プロセッサは、
前記検査されたエネルギーメトリックがしきい値を下回る場合、前記識別された記録のためのＳＳＳ候補を削除すること
を行うようにさらに構成された、請求項８に記載の装置。
【請求項１０】
前記プロセッサが、削除されなかったＳＳＳ候補を選択するように構成された、請求項９に記載の装置。
【請求項１１】
基地局から送信される２次同期信号（ＳＳＳ）を検出するための装置であって、
１つまたは複数の基準パイロット間隔にわたって受信信号のサンプルを取得するための手段と、
複数のＳＳＳ候補を検出するために前記サンプルを処理するための手段と、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算するための手段と、
前記対応する第１および第２のエネルギーメトリックの評価に基づいて前記ＳＳＳ候補のうちの１つを選択するための手段と、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える
を備える、装置。
【請求項１２】
各ＳＳＳ候補についての記録を作成するための手段と、
各記録について、前記対応する複合エネルギーメトリック、第１のエネルギーメトリック、および第２のエネルギーメトリックを記憶するための手段と
をさらに備える、請求項１１に記載の装置。
【請求項１３】
複合エネルギーメトリックに基づいて前記記録を分類するための手段と、
共通のショートコードを他の記録と共有する記録を識別するための手段と、
前記他の記録と共有されない他のショートコードについて前記エネルギーメトリックを検査するための手段と
をさらに備える、請求項１２に記載の装置。
【請求項１４】
前記検査されたエネルギーメトリックがしきい値を下回る場合、前記識別された記録のためのＳＳＳ候補を削除するための手段
をさらに備える、請求項１３に記載の装置。
【請求項１５】
選択するための前記手段が、削除されなかったＳＳＳ候補を選択するための手段を備える、請求項１４に記載の装置。
【請求項１６】
命令を記憶した基地局から送信される２次同期信号（ＳＳＳ）を検知するための非一時的なコンピュータ可読媒体であって、前記命令は、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算することと、
前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える、
を行うために１つまたは複数のプロセッサによって実行可能である、非一次的なコンピュータ可読媒体。
【発明の詳細な説明】
【技術分野】
【０００１】
関連出願の相互参照
[0001]本出願は、本出願の譲受人に譲渡され、その全体が参照により本明細書に明確に組み込まれる、２０１２年９月１０日に出願された米国仮出願第６１／６９９，１０７号の利益を主張する。
【０００２】
[0002]本開示は、一般に、２次同期信号（ＳＳＳ：secondary synchronization signal）を使用する検出に関し、より詳細には、ショートコード（short-code）衝突があるときにいくつかの候補信号の中から２次同期信号を選択するための技法に関する。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]たとえば、チャネル推定を可能にするために、ＵＥに知られている様々な基準信号（ＲＳ：reference signal）がダウンリンクにおいて送信され得る。場合によっては、セル中のすべてのＵＥに共通であるセル固有ＲＳが与えられる。さらに、ＵＥ固有ＲＳが送信され、特定のＵＥをターゲットにするデータ中に埋め込まれることもある。さらに、マルチメディアブロードキャスト単一周波数ネットワーク（ＭＢＳＦＮ：Multimedia Broadcast Single Frequency Network）構成の場合、ＭＢＳＦＮ固有ＲＳも与えられ得る。これらのＲＳは、一般に、直交周波数分割多重（ＯＦＤＭ）シンボル内の指定されたリソース要素（ＲＥ：Resource Element）を占有する。
【発明の概要】
【０００６】
[0006]本開示のいくつかの観点は、基地局から送信される２次同期信号（ＳＳＳ）を検出するための方法を提供する。本方法は、概して、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、対応する第１および第２のエネルギーメトリックの評価に基づいてＳＳＳ候補のうちの１つを選択することと、ここにおいて、選択することが、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとを備える、を含む。
【０００７】
[0007]本開示のいくつかの観点は、基地局から送信される２次同期信号（ＳＳＳ）を検出するための装置を提供する。本装置は、概して、１つまたは複数の基準パイロット間隔にわたって受信信号のサンプルを取得するための手段と、複数のＳＳＳ候補を検出するためにサンプルを処理するための手段と、各ＳＳＳ候補が、対応する第１のショートコードと第２のショートコードとを有し、処理するための手段が、第１および第２のショートコードに基づいて各ＳＳＳ候補について複合エネルギーメトリックを計算するための手段を備える、各ＳＳＳ候補について、第１のショートコードのための第１のエネルギーメトリックと第２のショートコードのための第２のエネルギーメトリックとを計算するための手段と、対応する第１および第２のエネルギーメトリックの評価に基づいてＳＳＳ候補のうちの１つを選択するための手段と、ここにおいて、選択することが、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとを備える、を含む。
【０００８】
[0008]本開示のいくつかの観点は、基地局から送信される２次同期信号（ＳＳＳ）を検出するための装置を提供する。本装置は、概して、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、対応する第１および第２のエネルギーメトリックの評価に基づいてＳＳＳ候補のうちの１つを選択することとを行うように構成された少なくとも１つのプロセッサと、少なくとも１つのプロセッサに結合されたメモリと、ここにおいて、選択することが、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとを備える、を含む。
【０００９】
[0009]本開示のいくつかの観点は、命令を記憶したコンピュータ可読媒体を備える、基地局から送信される２次同期信号（ＳＳＳ）を検出するためのコンピュータプログラム製品であって、命令は、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、対応する第１および第２のエネルギーメトリックの評価に基づいてＳＳＳ候補のうちの１つを選択することと、ここにおいて、選択することが、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとを備える、を行うために１つまたは複数のプロセッサによって実行可能である、コンピュータプログラム製品を提供する。
【００１０】
[0010]本開示のいくつかの観点は、基地局から送信される２次同期信号（ＳＳＳ）を検出するための方法を提供する。本方法は、概して、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、第１のショートコードまたは第２のショートコードのうちの少なくとも１つのためのチャネル推定値を生成することと、第１および第２のショートコードのための干渉消去を実行するためにチャネル推定値を使用することとを含む。
【００１１】
[0011]本開示のいくつかの観点は、基地局から送信される２次同期信号（ＳＳＳ）を検出するための装置を提供する。本装置は、概して、１つまたは複数の基準パイロット間隔にわたって受信信号のサンプルを取得するための手段と、複数のＳＳＳ候補を検出するためにサンプルを処理するための手段と、各ＳＳＳ候補が、対応する第１のショートコードと第２のショートコードとを有し、処理するための手段が、第１および第２のショートコードに基づいて各ＳＳＳ候補について複合エネルギーメトリックを計算するための手段を備える、各ＳＳＳ候補について、第１のショートコードのための第１のエネルギーメトリックと第２のショートコードのための第２のエネルギーメトリックとを計算するための手段と、第１のショートコードまたは第２のショートコードのうちの少なくとも１つのためのチャネル推定値を生成するための手段と、第１および第２のショートコードのための干渉消去を実行するためにチャネル推定値を使用するための手段とを含む。
【００１２】
[0012]本開示のいくつかの観点は、基地局から送信される２次同期信号（ＳＳＳ）を検出するための装置を提供する。本装置は、概して、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、第１のショートコードまたは第２のショートコードのうちの少なくとも１つのためのチャネル推定値を生成することと、第１および第２のショートコードのための干渉消去を実行するためにチャネル推定値を使用することとを行うように構成された少なくとも１つのプロセッサを含む。
【００１３】
[0013]本開示のいくつかの観点は、命令を記憶したコンピュータ可読媒体を備える、基地局から送信される２次同期信号（ＳＳＳ）を検出するためのコンピュータプログラム製品であって、命令は、１つまたは複数の基準パイロット間隔にわたって受信信号のサンプルを取得することと、複数のＳＳＳ候補を検出するためにサンプルを処理することと、各ＳＳＳ候補が、対応する第１のショートコードと第２のショートコードとを有し、処理することが、第１および第２のショートコードに基づいて各ＳＳＳ候補について複合エネルギーメトリックを計算することを備える、各ＳＳＳ候補について、第１のショートコードのための第１のエネルギーメトリックと第２のショートコードのための第２のエネルギーメトリックとを計算することと、第１のショートコードまたは第２のショートコードのうちの少なくとも１つのためのチャネル推定値を生成することと、第１および第２のショートコードのための干渉消去を実行するためにチャネル推定値を使用することとを行うために１つまたは複数のプロセッサによって実行可能である、コンピュータプログラム製品を提供する。
【図面の簡単な説明】
【００１４】
【図１】[0014]本開示の観点が実施され得る、例示的なワイヤレス通信ネットワークを示す図。
【図２】[0015]本開示のいくつかの観点に従って動作し得る基地局とユーザ機器（ＵＥ）とのブロック図。
【図３】[0016]周波数分割複信（ＦＤＤ）のための例示的なフレーム構造を示す図。
【図４】[0017]ダウンリンクのための２つの例示的なサブフレームフォーマットを示す図。
【図５】[0018]本開示の観点に従って動作し得る例示的な基地局とＵＥとを示す図。
【図６】[0019]本開示のいくつかの観点による、ＵＥによって実行され得る例示的な動作を示す図。
【図７】[0020]本開示の観点に従って対処され得る考えられるショートコード衝突を示す、例示的な２次同期信号（ＳＳＳ）インデックスと、対応する第１および第２のショートコードシーケンスとを示す表。
【発明を実施するための形態】
【００１５】
[0021]本開示のいくつかの観点は、各々が第１のショートコードと第２のショートコードとを備える２次同期信号（ＳＳＳ）の検出および処理を改善するための技法を提供する。いくつかの観点によれば、ユーザ機器は、組み合わせられたコードのための完全相関メトリックだけでなく、ショートコードのための別個の相関値をも伴うアルゴリズムを使用することによって、複数のＳＳＳ候補を識別し、それらの候補間で選択し得る。
【００１６】
[0022]場合によっては、ＵＥは、各ＳＳＳ候補について、第１のショートコードのための第１のエネルギーメトリックと第２のショートコードのための第２のエネルギーメトリックとを計算し、対応する第１のエネルギーメトリックと第２のエネルギーメトリックの両方の評価に基づいてＳＳＳ候補のうちの１つを選択し得る。この手法は、たとえば、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとによってショートコード衝突に対処するのを助け得る。
【００１７】
[0023]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ：Long Term Evolution）およびＬＴＥアドバンスト（ＬＴＥ−Ａ：LTE-Advanced）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの観点について以下ではＬＴＥに関して説明し、以下の説明の大部分でＬＴＥ用語を使用する。
【００１８】
[0024]図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ＵＥと通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１９】
[0025]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示された例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００２０】
[0026]ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示された例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００２１】
[0027]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２２】
[0028]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２３】
[0029]ＵＥ１２０はワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。
【００２４】
[0030]図２に、図１中の基地局／ｅＮＢのうちの１つであり得る基地局／ｅＮＢ１１０および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００２５】
[0031]基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、（たとえば、ＯＦＤＭなどのために）それぞれの出力シンボルストリームを処理して、出力サンプルストリームを取得し得る。各変調器２３２はさらに、出力サンプルストリームを処理（たとえば、アナログへの変換、増幅、フィルタ処理、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００２６】
[0032]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、それの受信信号を調整（たとえば、フィルタ処理、増幅、ダウンコンバート、およびデジタル化）して、入力サンプルを取得し得る。各復調器２５４はさらに、（たとえば、ＯＦＤＭなどのために）入力サンプルを処理して、受信シンボルを取得し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。本開示のいくつかの観点によれば、コントローラ／プロセッサ２８０は、本明細書で説明する動作を実行するように構成され得る。チャネルプロセッサ２８４は、以下で説明するように、ＲＳＲＰ、ＲＳＳＩ、ＲＳＲＱ、ＣＱＩなどを判断し得る。
【００２７】
[0033]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。
【００２８】
[0034]コントローラ／プロセッサ２４０および２８０は、それぞれ基地局１１０およびＵＥ１２０における動作を指示し得る。ＵＥ１２０におけるプロセッサ２８０および／または他のプロセッサおよびモジュールは、図６の動作６００、および／または本明細書で説明する技法のための他のプロセスを実行するか、またはその実行を指示し得る。メモリ２４２および２８２は、それぞれ基地局１１０およびＵＥ１２０のためのデータおよびプログラムコードを記憶し得る。スケジューラ２４４は、ダウンリンク上および／またはアップリンク上でのデータ送信のためにＵＥをスケジュールし得る。
【００２９】
[0035]図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００３０】
[0036]ＬＴＥでは、ｅＮＢは、ｅＮＢによってサポートされるセルごとにシステム帯域幅の中心１．０８ＭＨｚにおいてダウンリンク上でＰＳＳと２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。
【００３１】
[0037]ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：Physical Broadcast Channel）を送信し得る。ＰＢＣＨは何らかのシステム情報を搬送し得る。ｅＮＢは、いくつかのサブフレームにおいて物理ダウンリンク共有チャネル（ＰＤＳＣＨ：Physical Downlink Shared Channel）上でシステム情報ブロック（ＳＩＢ：system information block）などの他のシステム情報を送信し得る。ｅＮＢは、サブフレームの第１のＢ個のシンボル期間内で、物理ダウンリンク制御チャネル（ＰＤＣＣＨ：Physical Downlink Control Channel）上で制御情報／データを送信し得、ここで、Ｂは各サブフレームについて構成可能であり得る。ｅＮＢは、各サブフレームの残りのシンボル期間内で、ＰＤＳＣＨ上でトラフィックデータおよび／または他のデータを送信し得る。
【００３２】
[0038]図４に、ノーマルサイクリックプレフィックスを用いたダウンリンクのための２つの例示的なサブフレームフォーマット４１０および４２０を示す。ダウンリンクのための利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中の１つのサブキャリアをカバーし得、実数値または複素数値であり得る１つの変調シンボルを送るために使用され得る。
【００３３】
[0039]サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲaをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７および１１中にアンテナ０および１から送信され得、シンボル期間１および８中にアンテナ２および３から送信され得る。サブフレームフォーマット４１０とサブフレームフォーマット４２０の両方について、ＣＲＳは、セルＩＤに基づいて判断され得る、均等に離隔したサブキャリア上で送信され得る。異なるｅＮＢは、それらのセルＩＤに応じて、同じまたは異なるサブキャリア上でそれらのＣＲＳを送信し得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するため使用され得る。
【００３４】
[0040]ＬＴＥにおけるＰＳＳ、ＳＳＳ、ＣＲＳおよびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００３５】
[0041]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のフレームだけ離間したサブフレームを含み得る。特に、インターレースｑは、サブフレームｑ、ｑ＋Ｑ、ｑ＋２Ｑなどを含み得、ここでｑ∈｛０、．．．、Ｑ−１｝である。
【００３６】
[0042]ワイヤレスネットワークは、ダウンリンクおよびアップリンク上でのデータ送信のためにハイブリッド自動再送信（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００３７】
[0043]ＵＥは、複数のｅＮＢのカバレージ内に位置し得る。そのＵＥをサービスするために、これらのｅＮＢのうちの１つが選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００３８】
ネイバー検出のためのＰＳＳ／ＳＳＳシグナリング
[0044]ＬＴＥでは、同期信号（ＰＳＳ／ＳＳＳ）が、それらの近傍における基地局（ｅノードＢ）のセルＩＤを識別するためにＵＥによって使用される。一般的な識別動作は、最初に、大まかなタイミングを得るためにＰＳＳを検出することと、次いで、検出されたＰＳＳタイミングを使用してＳＳＳ検出を実行することとを伴う。場合によっては、ＰＳＳ／ＳＳＳ干渉消去（ＩＣ）を利用する同期ネットワークなどでは、ＳＳＳ検出は、すべてのＰＳＳ仮定についておよびいくつかのタイミング仮定について実行され得る。
【００３９】
[0045]ネイバー探索中におよび初期収集において、ＳＳＳシーケンス検出は、一般に、すべての可能なＳＳＳシーケンスを受信信号と相関させることと、最高相関値をもつセルを識別することとを伴う。ＳＳＳシーケンスは、それぞれ、長さ３１の２つのショートコードを備え、ショートコード１は、同じＰＳＳをも有するいくつかのセルＩＤについて共通であり、ショートコード２は、すべてのネイバーセルＩＤについて異なることが予想され、小さい相互相関を有することが予想される。
【００４０】
[0046]相関の後の最上位検出セルは、しばしば、最も強いセルの後に、最も強いセルと同じショートコード１（本明細書では「ショートコード衝突」と呼ぶ）を共有する他のセルＩＤが続く傾向があり、それにより問題が生じることがある。たとえば、このコード衝突は、ＵＥの真のネイバーをリスト中の下位に押し得る。
【００４１】
[0047]これは、ただ１つのセルがＵＥの近傍にある場合を考慮することによって示され得る。最も強いセル（実際の真のセル）に対応するＳＳＳシーケンスの場合、ショートコード１とショートコード２とをもつ相関値は、それらが両方とも実際に送信されるので、極めて大きいことが予想される。最も強いセルと同じショートコード１を共有するセルの場合、ショートコード１の相関値は極めて大きいが、ショートコード２をもつ相関値は、（真のセルのショートコードとは異なる）ショートコード２が実際に送信されないので、小さくなるべきである。他のセルＩＤの場合、ショートコード１とショートコード２とをもつ相関値はまた、それらが送信されないので、小さくなる可能性がある。したがって、真のセル、および真のセルと同じショートコード１を共有するセルＩＤは、他のセルよりもはるかに大きい相関値を有する。
【００４２】
[0048]上記で説明したように、従来の手法では、ネイバー探索リストは、ＳＳＳシーケンスの完全相関（たとえば、ショートコード１の相関値＋ショートコード２の相関値）に基づいて識別される。
【００４３】
[0049]しかしながら、本開示の観点は、完全相関の代替または追加としてこの判断を行うために個々のショートコードの相関値を利用し得るアルゴリズムを提供する。したがって、提案するアルゴリズムは、（たとえば、それらが、最も強いセルと同じショートコード１を共有するので）コード衝突により現れる偽のセルをなくすのを助け得る。
【００４４】
[0050]場合によっては、ＵＥは、ショートコードのための相関を個別に計算する効率的なＳＳＳ相関計算ブロックを利用し得る。個々のコードに基づいて検出するための１つの具体的な手法は、ショートコード１の相関値がショートコード２の相関値よりも著しく大きい（たとえば係数Ｋを上回る）とき、そのセルＩＤのために使用される相関メトリックが、（たとえば、ショートコード１のための相関値とショートコード２のための相関値との和ではなく）ショートコード２の相関の２倍になり得、それにより、コード衝突による誤検出を回避し得ることである。追加のアルゴリズムについて以下で説明する。
【００４５】
ショートコード衝突によって誘起される誤セルをなくすための例示的なＳＳＳ後処理
[0051]上記のように、本明細書で提示する技法は、ショートコード衝突によるＳＳＳ検出（「誤セル（false cell）」検出）における誤差を除去または低減するのを助け得る。本明細書で使用するショートコード衝突という用語は、概して、異なる基地局が、ショートコードを共有する（たとえば、各ＳＳＳは、同じｍ0コードまたはｍ1コードのいずれかを使用する）異なるＳＳＳシーケンスを送信する場合を指す。
【００４６】
[0052]定義によれば、それぞれが長さ３１の、（一般にｍ0またはｍ1として指定される）２つのいわゆるショートコードをインターリーブすることによって、６２ビットＳＳＳシーケンスが構成される。固有の問題は、複数のＳＳＳシーケンスが同じショートコードを共有することであり、これは、図５に示されている表５００からわかり得る。
【００４７】
[0053]本開示による複数のＳＳＳシーケンスを示す表５００。異なるＳＳＳシーケンスは、ワイヤレスネットワーク中の異なる基地局に割り当てられ得、２つのコンポーネントショートコードから構成される。図５において、列
【数１】
0005940732.tif 000002
【００４８】
はＳＳＳシーケンスインデックスを記載しており（ショートコードに言及する場合、
【数２】
0005940732.tif 000003
【００４９】
は、１６８個の可能なシーケンスインデックスのうちの１つを指す）、各ＳＳＳシーケンスインデックスについて、ｍ0およびｍ1は、それぞれ、第１および第２のコンポーネントショートコードのインデックスを表す。たとえば、
【数３】
0005940732.tif 000004
【００５０】
＝０をもつＳＳＳシーケンスは、同じショートコードｍ0＝０をいくつかのＳＳＳと共有する。詳細には、同じショートコードを共有するこれらのシーケンスは、
【数４】
0005940732.tif 000005
【００５１】
＝３０、５９、８７、１１４、１４０、および１６５である。
【００５２】
[0054]２つのハーフフレーム仮定間のＳＳＳシーケンスがショートコードを共有し得る場合もある。その結果、ＳＳＳ検出が、シーケンス全体から計算されたエネルギーメトリックに基づいて単独で実行された場合、多くの誤セルは、それらの誤セルが、ショートコードシーケンスを強いセルと共有したことの結果として誤って識別され得る。上記で説明したように、この問題は、「ショートコード衝突」として上記で言及したことである。
【００５３】
[0055]このショートコード衝突の影響を緩和するために、複合エネルギーメトリックのみに依拠するのではなく、本明細書で提示する技法は、各ＳＳＳインデックス仮定について異なるエネルギーメトリックを利用し得る。
【００５４】
[0056]図６に、基地局から送信される２次同期信号（ＳＳＳ）を検出するために実行され得る例示的な動作６００を示す。動作６００は、たとえば、ＵＥによって実行され得る。
【００５５】
[0057]動作６００は、６０２において、１つまたは複数の基準パイロット間隔にわたって受信信号のサンプルを取得することによって開始する。６０４において、ＵＥは、複数のＳＳＳ候補を検出するためにサンプルを処理し、各ＳＳＳ候補は、対応する第１のショートコードと第２のショートコードとを有し、処理することは、第１および第２のショートコードに基づいて各ＳＳＳ候補について複合エネルギーメトリックを計算することを備える。６０６において、ＵＥは、各ＳＳＳ候補について、第１のショートコードのための第１のエネルギーメトリックと第２のショートコードのための第２のエネルギーメトリックとを計算する。
【００５６】
[0058]６０８において、ＵＥは、対応する第１および第２のエネルギーメトリックの評価に基づいてＳＳＳ候補のうちの１つを選択する。以下でより詳細に説明するように、いくつかの観点によれば、上記選択することは、第１のショートコードまたは第２のショートコードを他のＳＳＳ候補と共有するＳＳＳ候補を識別することと、対応する第１および第２のエネルギーメトリックの評価に基づいて、識別されたＳＳＳ候補を削除することとを伴い得る。
【００５７】
[0059]１つの例示的なアルゴリズムは、ショートコード１に基づいて、複合メトリック
【数５】
0005940732.tif 000006
【００５８】
、メトリック
【数６】
0005940732.tif 000007
【００５９】
を利用し、ショートコード２に基づいてメトリック
【数７】
0005940732.tif 000008
【００６０】
を利用し得る。本技法は、有効なセル検出について、個々のコードのためのエネルギーメトリックが同様の強度であるべきである（たとえば、有効なＳＳＳについて、両方のショートコードが、ＳＳＳを形成するためにインターリーブされ、同じ基地局から送信される）ことを利用し得る。
【００６１】
[0060]いくつかの観点によれば、この情報に基づいて、しきい値μ’を下回る、関連する
【数８】
0005940732.tif 000009
【００６２】
または
【数９】
0005940732.tif 000010
【００６３】
を有するＳＳＳ候補（または仮定）がプルーニング（考慮から削除）され得る。一方、残存するＳＳＳ候補は、複合メトリック
【数１０】
0005940732.tif 000011
【００６４】
に従って（たとえば、降順に）分類され得る。そのようなプルーニングが厳密にどのように実行されるのかは、異なる実装形態について異なり得る。
【００６５】
[0061]場合によっては、受信サンプルの最初の処理の後に、各ＳＳＳ候補についての記録が作成され、（たとえば、複合エネルギーメトリックに基づいて）それらの記録が分類され得る。その後、分類された記録は検討され得、メトリック値と他のしきい値μ’との比較に基づいて容認される記録のためのショートコード１および２（ｍ0およびｍ1）のための「訪問先コードリスト（visited code list）」。
【００６６】
[0062]反復的プロセス中に、記録が、「訪問先コードリスト」上にまだないショートコードに対応するＳＳＳインデックスを有するときはいつでも、その候補を保持すべきか否かの決定のために複合メトリックが使用され得る。しかしながら、ショートコードのうちの１つがリスト上に現れた（それが、ショートコードを他のＳＳＳ候補と共有することを意味する）場合、代替ショートコード（たとえば、共有されないショートコード）に基づくメトリックは、決定を行うために使用される同じしきい値μ’と比較され得る。
【００６７】
[0063]有効なコードの場合、両方のコードのためのエネルギーメトリックが同じまたは近くなるべきである（また、正規化複合エネルギーメトリックと同じまたはそれに近くなるべきである）ことが想起され得る。したがって、しきい値交差（スレシェッドを上回るエネルギー）の場合、記録は、容認された記録リストに追加され、対応するショートコード１および２は、対応する訪問先コードリストに追加される。説明した動作は、以下のアルゴリズムステップによって説明され得る。
【００６８】
[0064]最初のステップとして、ＵＥは、リストを空にするためにショートコード１および２に関連する２つの訪問先コードリストを初期化し得る。後続のステップとして、ＵＥは、リストを、異なるＳＳＳ仮定に対応する記録でポピュレートし得る。
【００６９】
[0065]ＳＳＳ仮定に対応するあらゆる記録について、ＵＥは、最初に、ＳＳＳインデックス
【数１１】
0005940732.tif 000012
【００７０】
に関連するショートコード１および２を発見し得る。ショートコードがそれぞれの訪問先コードリスト上に現れない場合、
【数１２】
0005940732.tif 000013
【００７１】
を設定し、そうではなく、ショートコード２がそれぞれの訪問先コードリスト上に現れた場合、
【数１３】
0005940732.tif 000014
【００７２】
を設定し、他の場合、
【数１４】
0005940732.tif 000015
【００７３】
を設定する。
【数１５】
0005940732.tif 000016
【００７４】
である場合、ＵＥは、現在の記録を、
【数１６】
0005940732.tif 000017
【００７５】
に設定された単一のエネルギーメトリックをもつ容認された記録リストに追加し、対応するショートコード１、２をそれぞれの訪問先コードリストに追加し得る。そうでない場合、ＵＥはこのＳＳＳ仮定を廃棄し得る。
【００７６】
[0066]上記のプロシージャは、各ＰＳＳ仮定、ＣＰ仮定およびフレーム境界仮定に対応する、ＳＳＳ仮定に適用され得る。言い換えれば、本技法は、そのような各検出のために適用され得る。
【００７７】
[0067]図７に、本開示の観点による、検出を実行するように構成され得る基地局（ＢＳ）７１０とＵＥ７２０とをもつ例示的なシステムを示す。図示のように、ＢＳ７１０は、（たとえば、図５の表に示されたショートコード組合せに基づいて）ＳＳＳシーケンスを生成するためのＳＳＳ生成器モジュール７１４を含み、送信機モジュール７１２を介して、ＤＬサブフレーム中でＳＳＳシーケンスを送信し得る。
【００７８】
[0068]ＵＥ７２０は、受信機モジュール７２６を介して、ＤＬサブフレーム中で送信された信号を受信し、それらの信号をＳＳＳ検出モジュール７２４を用いて処理し得る。ＳＳＳ検出モジュール７２４は、たとえば、複数のＳＳＳ候補を識別することによって、上記で説明したアルゴリズムを利用する検出を実行し、組み合わせられたコードのための完全相関メトリックだけでなく、ショートコードのための別個の相関値をも伴うアルゴリズムを使用することによってそれらの候補間で選択し得る。
【００７９】
[0069]場合によっては、上記で説明したＳＳＳ復号候補処理の結果を使用して、さらなる処理が実行され得る。たとえば、ショートコード２から推定されたチャネルに基づいて、ＳＳＳ干渉消去（ＩＣ）が実行され得る。場合によっては、これにより、ショートコード１とショートコード２の両方を使用して取得されたチャネル推定値と比較したとき、チャネル推定精度が低下し得る。しかしながら、そのような手法は、同じショートコード１を共有する２つのセルが存在するとき、より正確なチャネル推定値を与え得る。いずれの場合も、ＳＳＳ信号の一部分がチャネル推定のために使用され得、そのチャネル推定値は、その後、干渉消去のために使用され得る。そのような消去は、ＳＳＳ信号の異なる部分に対して独立して実行され得る。たとえば、干渉消去は、ショートコード１とショートコード２とに対して独立して実行され得る。
【００８０】
[0070]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８１】
[0071]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８２】
[0072]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８３】
[0073]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８４】
[0074]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００８５】
[0075]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。  
以下、出願当初の特許請求の範囲を付記する。  
[付記]  
［Ｃ１］
基地局から送信される２次同期信号（ＳＳＳ）を検出するための方法であって、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算することと、
前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える
を備える、方法。
［Ｃ２］
各ＳＳＳ候補についての記録を作成することと、
各記録について、前記対応する複合エネルギーメトリック、第１のエネルギーメトリック、および第２のエネルギーメトリックを記憶することと
をさらに備える、Ｃ１に記載の方法。
［Ｃ３］
複合エネルギーメトリックに基づいて前記記録を分類することと、
共通ショートコードを他の記録と共有する記録を識別することと、
前記他の記録と共有されない他のショートコードについて前記エネルギーメトリックを検査することと
をさらに備える、Ｃ２に記載の方法。
［Ｃ４］
前記検査されたエネルギーメトリックがしきい値を下回る場合、前記識別された記録のためのＳＳＳ候補を削除すること
をさらに備える、Ｃ３に記載の方法。
［Ｃ５］
前記選択することが、削除されなかったＳＳＳ候補を選択することを備える、Ｃ４に記載の方法。
［Ｃ６］
基地局から送信される２次同期信号（ＳＳＳ）を処理するための方法であって、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算することと、
前記第１のショートコードまたは前記第２のショートコードのうちの少なくとも１つのためのチャネル推定値を生成することと、
前記第１および第２のショートコードのための干渉消去を実行するために前記チャネル推定値を使用することと
を備える、方法。
［Ｃ７］
前記第１のショートコードのための前記チャネル推定値が、前記第１のコードショートコードの干渉消去を実行するために使用され、
前記第２のショートコードのための前記チャネル推定値が、第２のショートコードの干渉消去を実行するために使用される、Ｃ６に記載の方法。
［Ｃ８］
前記第２のショートコードのための前記チャネル推定値が、前記第１のショートコードと前記第２のショートコードの両方の干渉消去を実行するために使用される、Ｃ６に記載の方法。
［Ｃ９］
基地局から送信される２次同期信号（ＳＳＳ）を検出するための装置であって、
１つまたは複数の基準パイロット間隔にわたって受信信号のサンプルを取得するように構成された受信機と、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、各ＳＳＳ候補について、前記第１のショートコードのための第１のエネルギーメトリックと前記第２のショートコードのための第２のエネルギーメトリックとを計算することと、前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える、を行うように構成された少なくとも１つのプロセッサと
を備える、装置。
［Ｃ１０］
前記プロセッサが、
各ＳＳＳ候補についての記録を作成することと、
各記録について、前記対応する複合エネルギーメトリック、第１のエネルギーメトリック、および第２のエネルギーメトリックを記憶することと
を行うようにさらに構成された、Ｃ９に記載の装置。
［Ｃ１１］
前記プロセッサが、
複合エネルギーメトリックに基づいて前記記録を分類することと、
共通ショートコードを他の記録と共有する記録を識別することと、
前記他の記録と共有されない他のショートコードについて前記エネルギーメトリックを検査することと
を行うようにさらに構成された、Ｃ１０に記載の装置。
［Ｃ１２］
前記プロセッサは、
前記検査されたエネルギーメトリックがしきい値を下回る場合、前記識別された記録のためのＳＳＳ候補を削除すること
を行うようにさらに構成された、Ｃ１１に記載の装置。
［Ｃ１３］
前記プロセッサが、削除されなかったＳＳＳ候補を選択するように構成された、Ｃ１２に記載の装置。
［Ｃ１４］
基地局から送信される２次同期信号（ＳＳＳ）を検出するための装置であって、
１つまたは複数の基準パイロット間隔にわたって受信信号のサンプルを取得するように構成された受信機と、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、各ＳＳＳ候補について、前記第１のショートコードのための第１のエネルギーメトリックと前記第２のショートコードのための第２のエネルギーメトリックとを計算することと、前記第１のショートコードまたは前記第２のショートコードのうちの少なくとも１つのためのチャネル推定値を生成することと、前記第１および第２のショートコードのための干渉消去を実行するために前記チャネル推定値を使用することとを行うように構成された少なくとも１つのプロセッサと
を備える、装置。
［Ｃ１５］
前記第１のショートコードのための前記チャネル推定値が、前記第１のコードショートコードの干渉消去を実行するために使用され、
前記第２のショートコードのための前記チャネル推定値が、第２のショートコードの干渉消去を実行するために使用される、Ｃ１４に記載の装置。
［Ｃ１６］
前記第２のショートコードのための前記チャネル推定値が、前記第１のショートコードと前記第２のショートコードの両方の干渉消去を実行するために使用される、Ｃ１４に記載の装置。
［Ｃ１７］
基地局から送信される２次同期信号（ＳＳＳ）を検出するための装置であって、
１つまたは複数の基準パイロット間隔にわたって受信信号のサンプルを取得するための手段と、
複数のＳＳＳ候補を検出するために前記サンプルを処理するための手段と、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算するための手段と、
前記対応する第１および第２のエネルギーメトリックの評価に基づいて前記ＳＳＳ候補のうちの１つを選択するための手段と、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える
を備える、装置。
［Ｃ１８］
各ＳＳＳ候補についての記録を作成するための手段と、
各記録について、前記対応する複合エネルギーメトリック、第１のエネルギーメトリック、および第２のエネルギーメトリックを記憶するための手段と
をさらに備える、Ｃ１７に記載の装置。
［Ｃ１９］
複合エネルギーメトリックに基づいて前記記録を分類するための手段と、
共通のショートコードを他の記録と共有する記録を識別するための手段と、
前記他の記録と共有されない他のショートコードについて前記エネルギーメトリックを検査するための手段と
をさらに備える、Ｃ１８に記載の装置。
［Ｃ２０］
前記検査されたエネルギーメトリックがしきい値を下回る場合、前記識別された記録のためのＳＳＳ候補を削除するための手段
をさらに備える、Ｃ１９に記載の装置。
［Ｃ２１］
選択するための前記手段が、削除されなかったＳＳＳ候補を選択するための手段を備える、Ｃ２０に記載の装置。
［Ｃ２２］
基地局から送信される２次同期信号（ＳＳＳ）を検出するための装置であって、
１つまたは複数の基準パイロット間隔にわたって受信信号のサンプルを取得するための手段と、
複数のＳＳＳ候補を検出するために前記サンプルを処理するための手段と、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算するための手段と、
前記第１のショートコードまたは前記第２のショートコードのうちの少なくとも１つのためのチャネル推定値を生成するための手段と、
前記第１および第２のショートコードのための干渉消去を実行するために前記チャネル推定値を使用するための手段と
を備える、装置。
［Ｃ２３］
前記第１のショートコードのための前記チャネル推定値が、前記第１のコードショートコードの干渉消去を実行するために使用され、
前記第２のショートコードのための前記チャネル推定値が、第２のショートコードの干渉消去を実行するために使用される、Ｃ２２に記載の装置。
［Ｃ２４］
前記第２のショートコードのための前記チャネル推定値が、前記第１のショートコードと前記第２のショートコードの両方の干渉消去を実行するために使用される、Ｃ２２に記載の装置。
［Ｃ２５］
命令を記憶したコンピュータ可読媒体を備える、基地局から送信される２次同期信号（ＳＳＳ）を検出するためのコンピュータプログラム製品であって、前記命令は、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
各ＳＳＳ候補について、前記第１のショートコードのための第１のエネルギーメトリックと前記第２のショートコードのための第２のエネルギーメトリックとを計算することと、
前記対応する第１および第２のエネルギーメトリックの評価に基づいて前記ＳＳＳ候補のうちの１つを選択することと、ここにおいて、前記選択することが、第１のショートコードまたは第２のショートコードを他のＳＳＳ候補と共有するＳＳＳ候補を識別することと、前記対応する第１および第２のエネルギーメトリックの評価に基づいて、識別されたＳＳＳ候補を削除することとを備える、
を行うために１つまたは複数のプロセッサによって実行可能である、コンピュータプログラム製品。
［Ｃ２６］
命令を記憶したコンピュータ可読媒体を備える、基地局から送信される２次同期信号（ＳＳＳ）を検出するためのコンピュータプログラム製品であって、前記命令は、
１つまたは複数の基準パイロット間隔にわたって受信信号のサンプルを取得することと、
複数のＳＳＳ候補を検出するために前記サンプルを処理することと、各ＳＳＳ候補が、対応する第１のショートコードと第２のショートコードとを有し、前記処理することが、前記第１および第２のショートコードに基づいて各ＳＳＳ候補について複合エネルギーメトリックを計算することを備える、
前記第１のショートコードまたは前記第２のショートコードのうちの少なくとも１つのためのチャネル推定値を生成することと、
前記第１および第２のショートコードのための干渉消去を実行するために前記チャネル推定値を使用することと
を行うために１つまたは複数のプロセッサによって実行可能である、コンピュータプログラム製品。
【図１】
0005940732.tif 000018
【図２】
0005940732.tif 000019
【図３】
0005940732.tif 000020
【図４】
0005940732.tif 000021
【図５】
0005940732.tif 000022
【図６】
0005940732.tif 000023
【図７】
0005940732.tif 000024